(57)【特許請求の範囲】
【請求項１】
紐止め具の本体１は、締紐Ｓが挿通可能な貫通孔３を有し、貫通孔３は締紐Ｓが自由に移動可能な摺動通路部４と、締紐Ｓの移動を規制する制動通路部５とを連接し、該連接部分に制動通路部５の入口が狭くなったくびれ部６を形成し、本体１の裏面を平坦面２５に形成するとともに、表面に摺動通路部４と制動通路部５の外側に縫製用の縫付孔２１または取付溝２０あるいはその双方を設け、本体１を生地Ｃに固定し、貫通孔３を生地Ｃに形成した紐通し孔Ｈに連通してなることを特徴とする紐止め具。
【請求項２】
本体１に設置する摺動通路部４は平面形状が円形に形成し、制動通路部５は摺動通路部４よりも小さい径の平面形状が長円形に形成してなる請求項１記載の紐止め具。
【発明の詳細な説明】
【０００１】
【発明の属する技術分野】
この発明は、スキーウェア、フード付ダウンジャケット、ハーフコートなどの裾、ウエスト、襟、フードの周縁に挿通されている締紐を締め付けて固定するための止具、一般にコードストッパーと称され、締紐の端部側に装備して締め付け調節ができる紐止め具、および締紐が挿通されている挿通口の生地に固定して締紐の締め付け調節ができる紐止め具に関するものである。
【０００２】
【従来の技術】
従来の紐止め具は、図１８に示すように、薄板の金属板の中央部に丸紐等を挿通させる穴を形成するとともに、この穴の側部に周縁部を凹凸状に形成し、かつ丸紐と同径あるいは若干小さく打ち抜いた係止孔を前記穴に連続して設けた紐止め具が実公昭４７−５８６７号公報に開示されている。
【０００３】
また、図１９に示すように、軟質合成樹脂、ゴムなどの柔軟な弾性材料を射出成形によって成形した紐止め本体の中央に、紐を挿通するためのテーパ面のある貫通孔を形成し、この貫通孔に挿通した紐の紐止め本体に対する一方向への移動を許容し、逆方向への移動には大きな抵抗を与えるように形成した紐止め具が特開平９−２５２８１３号公報に開示されている。
【０００４】
さらに、図２０に示すように、紐の調節用の止具は、中心部に紐制動用通路を設けるとともに、この紐制動用通路の周囲に紐の通過抵抗により撓み変形する制動片を有する表主体をウレタンゴムまたは軟質プラスチックなどの弾性部材から形成し、表主体は平面円形で、成形時において表面に文字、図柄などの凹凸装飾部を形成した表主体に、薄いステンレス板を打ち抜きプレス成形した加締用筒脚の一端に形成した埋設用鍔を制動用通路の中心に加締用筒脚の中心を一致させて埋設一体化し、表主体の裏面中央に加締用筒脚を突設させた構成であり、裏止め体はステンレス板を打ち抜きプレス成形して加締用筒脚が挿通される中心穴が開設されたリング形状とした調節用の止具が特開平９−５６４２０号公報に開示されている。
【０００５】
【発明が解決しようとする課題】
前項で述べた図１８に示す紐止め具は、薄板の金属板の中央に紐挿通用の穴を形成し、この穴の側部に周縁部に凹凸部のある係止孔を連接し、使用中、紐が凹凸部に食い込み爾後離抜を防止する紐止め具であり、使用する紐が薄板の金属板であるため係止孔の凹凸部に予想以上に食い込み紐を強く引き締めると損傷するおそれがあり、的確に締め付け調節ができず、長期の使用に耐えられないなど問題点がある。
【０００６】
また、図１９に示す紐止め具は、軟質合成樹脂、ゴムなどの弾性材料から紐止め本体を成形し、本体に設けた貫通孔のテーパ面に配設した切込み間の部分が弾性変形し易くなっているため、紐止め本体に挿通した紐の一方向への移動は勿論、逆方向への移動も可能であるから、紐の締め付け調節が一つの貫通孔であってもできることを考えれば、使用中に紐止め本体が緩みがちで紐の締め付け機能を失い不安定である。また紐止め本体を被着物に縫着する場合は、縫成用のガイド溝がないため正確に縫着するのが難しい。さらに弾性材であっても縫糸が表面に露出するため摩耗する割合が大きいなど問題点がある。
【０００７】
さらに、図２０に示す紐の調節用止具は、ウレタンゴムまたは樹脂などの弾性部材から成形し、中心部に制動用通路を設け、その周辺に紐の通過抵抗により撓み変形する制動片を配設し、制動用通路に対し制動片を舌片状に突設したものであり、紐を前後いずれの方向へ移動させても制動片の撓み変形により紐の移動を押圧止するものであるから、使用中に容易に紐が緩みがちで締め付け調節が不安定である。また調節用止具は生地に取り付けるため、弾性部材の表主体にステンレス板を打ち抜きプレス成形した加締用筒脚を埋装一体化してステンレス製の裏止め体に加締め固定する。したがって調節用止具は弾性部材とステンレス製の加締用筒脚から形成され、埋装加工をしなければならないので、止具の製作がきわめて面倒であり、またリサイクル化ができないなど問題点がある。
【０００８】
この発明は、上述の問題点を考慮して発明されたものであり、請求項１記載の発明は、紐止め具の本体に締紐が挿通できる貫通孔を配し、この貫通孔は締紐が自由に移動できる通路部と、締紐の移動を規制する通路部とを併設し、意図的以外には締紐が各通路部を自由に変更できないように規制し、締紐の摺動と制動機能を的確に区別して、締紐の締め付け調節操作が容易に行え、かつ本体のみで単独で利用することができ、本体を被着物などの生地に安定した状態で縫着することができる紐止め具を提供することが主たる目的である。
【０００９】
請求項２記載の発明は、請求項１記載の発明の目的に加え、紐止め具を用いる際、締紐の材質および形態によって締紐に適した形状の締紐の移動を規制する通路部を備えた紐止め具を提供することが目的である。
【００１０】
【課題を解決するための手段】
前記の目的を達成するため、この発明のうち請求項１記載の発明は、紐止め具の本体１は、締紐Ｓが挿通できる貫通孔３を有し、貫通孔３は締紐Ｓが自由に移動できる摺動通路部４と、締紐Ｓの移動を規制する制動通路部５とを連接し、摺動通路部４と制動通路部５との連接部分において制動通路部５の入口が狭くなった形状のくびれ部６を形成し、本体１の裏面は平坦面２５に形成するとともに、表面は摺動通路部４および制動通路部５の外側に縫製用の縫付孔２１または取付溝２０あるいは縫付孔２１と取付溝２０の双方を設け、本体１を生地Ｃに固定し、貫通孔３を生地Ｃに形成した紐通し孔Ｈに連通した紐止め具を主な構成とするものである。
【００１１】
請求項２記載の発明は、請求項１記載の発明の構成に加え、紐止め具の本体１に設置する締紐Ｓの移動が自由にできる摺動通路部４は平面形状を円形に形成し、締紐Ｓの移動を規制する制動通路部５は摺動通路部４よりも小さい径の平面形状を長円形に形成した紐止め具である。
【００１２】
【発明の実施の形態】
以下、この発明の紐止め具の実施の形態について、図面を参照しながら具体的に説明する。
【００１３】
この発明の紐止め具は、本体１の素材にポリアミド、ポリアセタール、ポリプロピレン、ポリプチレンテレフタレートなどの熱可塑性樹脂またはこれらの樹脂に耐摩耗性強化材を加えて射出成形手段または押出成形手段によって、本体１を一体成形して形成する。
【００１４】
図１〜３に示す第１実施形態の紐止め具は、紐止め具の本体１のみで単独で使用できるものであり、本体１は全体が三角状を呈する平板から形成され、中央に締紐Ｓを挿通する貫通孔３を穿設して摺動通路部４を形成し、この摺動通路部４から本体１の頂点に向けて締紐Ｓの摺動を規制する制動通路部５を設け、摺動通路部４と制動通路部５との境界にくびれ部６を設け、本体１の裏面を平坦状の平坦面２５に形成して、被着物などの生地Ｃに安定した状態で縫着できるように形成する。
【００１５】
本体１の表面には摺動通路部４と制動通路部５の周辺外側に縫糸Ｔの縫製用のガイドとなる全体が三角状で断面凹状の取付溝２０を設け、取付溝２０はなるべく直線状に配置することによって、ミシン縫製が簡易に行える形に形成し、かつ縫糸Ｔを収容して他物と接して摩耗するのを防ぐことができる。
【００１６】
本体１は図３に示すように、被着物などの生地Ｃに前以て開けた紐挿通用の紐通し孔Ｈの周辺へ本体１の平坦面２５が生地Ｃに接する形に載置し、本体１の表面に形成した凹状の取付溝２０をミシン縫製などによる縫糸Ｔによって縫い付け、安定した状態に取り付ける。
【００１７】
この紐止め具の本体１の素材として熱可塑性エラストマーたとえばウレタン系エラストマーあるいはポリエステル系エラストマーを用いて本体１を射出成形し、本体１自体に弾力性を具備させることにより、締紐Ｓを柔軟に締め付け、上下の移動を規制することができ、本体１は単独で使用できる紐止め具の本体１である。
【００１８】
図４に示す紐止め具の本体１は、図２に示す本体１の変形例を示すもので、本体１の構成は前例と略同一形態であるが、貫通孔３の周壁にテーパ面７を形成することなく、貫通孔３の周壁部分、すなわち摺動通路部４と制動通路部５の周壁の中央に、内方へ突出する山形状の係止部９を設けた構成で異なる。本体１の素材に熱可塑性エラストマーを用いて成形して係止部９によって、制動通路部５に挿通する締紐Ｓを柔軟に把持し捕捉して、締紐Ｓの移動を規制することができる。
【００１９】
さらに、図５に示す紐止め具の本体１は、図２に示す本体１の変形例を示すもので、本体１の構成は図２の本体１と略同一形態であるが、貫通孔３の周壁、すなわち摺動通路部４と制動通路部５の周壁に一切テーパ面７および係止部９を備えていない構成で異なる。本体１の素材に熱可塑性エラストマーを用いて成形することによって、本体１全体が弾力性に富み、したがって制動通路部５も弾力性があるから、制動通路部５に挿通する締紐Ｓを柔らかく把持し捕捉して締紐Ｓの移動を規制することができ、弾力性を備えた本体１の場合は締紐Ｓが損傷するおそれがなく保護する利点がある。
【００２０】
図６に示す紐止め具は、前記第１実施形態の本体１と同様に、本体１の裏面を平坦状の平坦面２５に形成し、この平坦面２５における摺動通路部４および制動通路部５の周辺に外方へ突出する突起状の突起部２６を複数個突設し、本体１を生地Ｃに縫着したとき、突起部２６が生地Ｃに食い込んで、ずれ動くのを未然に防ぐことができる紐止め具の本体１である。
【００２１】
図７〜９に示す紐止め具は、本体１に配設する縫糸Ｔのための取付溝２０の変形例を示すものであり、図７は全体が長円形を呈する平板の本体１の略中央に貫通孔３を穿設して摺動通路部４と制動通路部５およびくびれ部６を形成し、本体１の表面における摺動通路部４と制動通路部５の周辺外側に長方形で断面凹状のミシン縫製用の取付溝２０を凹設し、取付溝２０は直線状に配することによりミシン縫製が簡易に行え単独で使用できる紐止め具の本体１である。
【００２２】
図８は全体が長方形を呈する平板の本体１の略中央に貫通孔３を穿設して摺動通路部４と制動通路部５およびくびれ部６を形成し、本体１の表面における摺動通路部４と制動通路部５の両側外方に断面凹状のミシン縫製用の取付溝２０を凹設する。この取付溝２０はなるべく直線状に配することによって、ミシン縫製が簡易に行えることは前例と同様であり、また単独で使用できる紐止め具の本体１である。
【００２３】
図９は全体が長方形を呈する平板の本体１の略中央に貫通孔３を穿設して摺動通路部４と制動通路部５およびくびれ部６を形成し、本体１の裏面における摺動通路部４と制動通路部５の周辺外側に井桁状を呈するミシン縫製用の断面凹状の取付溝２０を設け、この取付溝２０は直線状を呈し、きわめてミシン縫製が簡易に行える紐止め具の本体１である。
【００２４】
図１０〜１３に示す紐止め具は、本体１に配設する縫糸Ｔのための縫付孔２１と凹溝２２の変形例を示すものであり、図１０、１１は全体が長円形を呈する平板の本体１の略中央に貫通孔３を穿設して摺動通路部４と制動通路部５およびくびれ部６を形成し、本体１の表面の長手方向の両端側に縫糸Ｔを挿通する円形の縫付孔２１を２個設け、この縫付孔２１間に断面凹状の凹溝２２を連設し、縫糸Ｔによる縫製が容易で安定した状態で縫い付けることができ、しかも縫糸Ｔは凹溝２２に収容され、他物との接触による摩耗から保護でき、単独で使用できる紐止め具の本体１である。
【００２５】
図１２、１３は全体が長方形を呈する平板の本体１の略中央に貫通孔３を穿設し、本体１の裏面の長手方向の両端側に縫糸Ｔを挿通する円形の縫付孔２１を２個穿設し、この縫付孔２１を含む周辺に幅広い断面凹状の凹溝２２を設け、縫い糸Ｔによる縫製が容易で安定した状態で縫い付けることができ、しかも縫糸Ｔは凹溝２２内に収容され、他物との接触による摩耗から保護でき、単独で使用できる紐止め具の本体１である。
【００２６】
図１４、１５に示す紐止め具は、本体１に配設する制動通路部５が簡単に弾性変形ができる本体１の変形例を示したものであり、図１４は全体が長円形を呈する平板の本体１の略中央に貫通孔３を穿設して摺動通路部４と制動通路部５およびくびれ部６を形成し、制動通路部５の両側に長孔状の抜き孔２３を穿設して制動通路部５が容易に変形できるように形成し、使用する締紐Ｓの太さのサイズ変更にも対応できる本体１である。また本体１の表面には外縁に沿ってミシン縫製ができるように断面凹状の取付溝２０を凹設し、長円形の本体１を生地Ｃに体裁よく取り付けることができる紐止め具の本体１である。
【００２７】
図１５は全体が長円形を呈する平板の本体１の略中央に貫通孔３を穿設して摺動通路部４を制動通路部５およびくびれ部６を形成し、制動通路部５の両側に小孔状の抜き孔２３を穿設し、制動通路部５の変形ができるように形成し、使用する締紐Ｓの太さのサイズ変更にも対応できる。また本体１の表面には外縁に沿ってミシン縫製ができる断面凹状の取付溝２０を凹設し、本体１を生地Ｃに体裁よく取り付けることができる紐止め具の本体である。
【００２８】
図１６、１７に示す紐止め具は、本体１に配設する制動通路部５が容易に弾性変形ができる本体１の変形例を示したものであり、図１６は全体が長円形を呈する平板の本体１の略中央に貫通孔３を穿設して摺動通路部４と制動通路部５およびくびれ部６を形成し、制動通路部５の挿通される締紐Ｓを柔軟に拘持できるように制動通路部５のテーパ面７の壁面に内方へ突出し、変形できる小舌片の弾性片２４を設けて可撓性を具備させ、挿通される締紐Ｓに対し柔軟に対応できるように形成した本体１であり、また本体１の表面には断面凹状の取付溝２０を本体１の外縁に沿って設けてある。
【００２９】
図１７は全体が円形を呈する平板の本体１の略中央に貫通孔３を穿設して摺動通路部４と制動通路部５およびくびれ部６を形成し、制動通路部５は円形のテーパ面７から形成され、このテーパ面７から多数の小舌片の弾性片２４を突設して可撓性を具備させ、挿通される締紐Ｓを柔軟に拘持できるように形成する。また円形の本体１の外縁に沿ってミシン縫製ができる断面凹状の取付溝２０が凹設され、本体１を体裁よく生地Ｃに取り付けることができる紐止め具の本体１である。なお、図１６、１７の本体１の素材に熱可塑性エラストマーを用いるのが好都合である。
【００３０】
【発明の効果】
この発明の紐止め具は、以上説明したとおりの構成であり、この構成によって下記の効果を奏するものである。
【００３１】
この発明のうち請求項１記載の発明は、紐止め具の本体は、締紐が挿通可能な貫通孔を有し、貫通孔は締紐が自由に移動可能な摺動通路部と、締紐の移動を規制する制動通路部とを連接し、該連接部分に制動通路部の入口が狭くなったくびれ部を形成し、本体の裏面を平坦面に形成するとともに、表面に摺動通路部と制動通路部の外側に縫製用の縫付孔または取付溝あるいはその双方を設け、本体を生地に固定し、貫通孔を生地に形成した紐通し孔に連通したことによって、次の効果を奏する。
【００３２】
紐止め具の本体に締紐を自由に移動できる摺動通路部と、締紐の移動を規制する制動通路部とを区別して設け、入口に狭くなったくびれ部を形成したので、締紐が自由自在に通路変更ができない。また意図的に通路変更をするときは変更操作において締紐を傷つけることなく円滑に行い、締紐の調節機能が的確に発揮でき、また本体のみで単独利用することができ、本体を被着物に安定した状態で保持した上で容易かつ正確に縫製することができる効果がある。
【００３３】
請求項２記載の発明は、請求項１記載の発明の効果に加え、本体に設置する摺動通路部は平面形状が円形に形成し、制動通路部は摺動通路部よりも小さい径の平面形状が長円形に形成したことによって、使用する締紐の材質あるいは形態により、使用する締紐に適した形態の紐止め具に仕上げることができ、平紐、丸紐などの締紐を効率よく把持し捕捉できる効果があるなど、この発明が奏する効果はきわめて顕著である。
【図面の簡単な説明】
【図１】  第１実施形態の紐止め具における本体の正面図である。
【図２】  同上紐止め具における本体のＡ−Ａ線断面図である。
【図３】  同上紐止め具における本体の使用状態を示す断面図である。
【図４】  同上紐止め具における本体の第１変形例を示す断面図である。
【図５】  同上紐止め具における本体の第２変形例を示す断面図である。
【図６】  同上紐止め具における本体の第３変形例を示す断面図である。
【図７】  同上紐止め具における本体の第４変形例を示す正面図である。
【図８】  同上紐止め具における本体の第５変形例を示す正面図である。
【図９】  同上紐止め具における本体の第６変形例を示す正面図である。
【図１０】  同上紐止め具における本体の第７変形例を示す正面図である。
【図１１】  同上紐止め具における本体のＢ−Ｂ線断面図である。
【図１２】  同上紐止め具における本体の第８変形例を示す正面図である。
【図１３】  同上紐止め具における本体のＣ−Ｃ線断面図である。
【図１４】  同上紐止め具における本体の第９変形例を示す正面図である。
【図１５】  同上紐止め具における本体の第１０変形例を示す正面図である。
【図１６】  同上紐止め具における本体の第１１変形例を示す正面図である。
【図１７】  同上紐止め具における本体の第１２変形例を示す正面図である。
【図１８】  第１公知例の紐止め具の斜視図である。
【図１９】  第２公知例の紐止め具の横断面図である。
【図２０】  第３公知例の紐止め具の横断面図である。
【符号の説明】
１            本体
３            貫通孔
４            摺動通路部
５            制動通路部
６            くびれ部
７            テーパ面
８            段差部
９            係止部
２０            取付溝
２１            縫付孔
２３            抜き孔
２４            弾性片
２５            平坦面
２６            突起部
Ｃ            生地
Ｓ            締紐
Ｔ            縫糸
Ｈ            紐通し孔
【図１】
0003844960.tif 000002
【図２】
0003844960.tif 000003
【図３】
0003844960.tif 000004
【図４】
0003844960.tif 000005
【図５】
0003844960.tif 000006
【図６】
0003844960.tif 000007
【図７】
0003844960.tif 000008
【図８】
0003844960.tif 000009
【図９】
0003844960.tif 000010
【図１０】
0003844960.tif 000011
【図１１】
0003844960.tif 000012
【図１２】
0003844960.tif 000013
【図１３】
0003844960.tif 000014
【図１４】
0003844960.tif 000015
【図１５】
0003844960.tif 000016
【図１６】
0003844960.tif 000017
【図１７】
0003844960.tif 000018
【図１８】
0003844960.tif 000019
【図１９】
0003844960.tif 000020
【図２０】
0003844960.tif 000021